(57)【要約】【課題】ユーザに、コンテンツに適したウィジェットを容易に選択させる。【解決手段】コンテンツ作成サーバ１は、複数のコンテンツを記憶するサーバ側記憶部１１と、携帯端末３にコンテンツを閲覧するための閲覧用アドレスを送信するアドレス送信部１２１と、開発用端末２から、複数のコンテンツのいずれかを選択するための選択指示情報を受信する受信部１２３と、受信部１２３が選択指示情報を受信すると、サーバ側記憶部１１に記憶されている複数のコンテンツのうち、選択指示情報に対応するコンテンツと閲覧用アドレスとを関連付けた関連情報を生成する関連情報生成部１２４と、携帯端末３から閲覧用アドレスを受信したことに応じて、関連情報に基づいて、当該閲覧用アドレスに関連付けられたコンテンツを携帯端末３に送信するコンテンツ送信部１２５と、を備える。【選択図】図１
2014164453.tif 000002
【特許請求の範囲】
【請求項１】
開発用端末及び携帯端末に通信可能に接続され、コンテンツを作成するコンテンツ作成装置であって、
前記携帯端末に前記コンテンツを閲覧するための閲覧用アドレスを送信するアドレス送信部と、
複数の前記コンテンツを記憶する記憶部と、
前記開発用端末から、前記複数のコンテンツのいずれかを選択するための選択指示情報を受信する受信部と、
前記受信部が前記選択指示情報を受信すると、前記記憶部に記憶されている前記複数のコンテンツのうち、前記選択指示情報に対応するコンテンツと前記閲覧用アドレスとを関連付けた関連情報を生成する関連情報生成部と、
前記携帯端末から前記閲覧用アドレスにアクセスされたことに応じて、前記関連情報に基づいて、当該閲覧用アドレスに関連付けられた前記コンテンツを前記携帯端末に送信するコンテンツ送信部と、
を備えるコンテンツ作成装置。
【請求項２】
前記関連情報生成部は、前記関連情報として、前記選択指示情報に対応するコンテンツのアドレスへのリンクを含むページを生成し、
前記コンテンツ送信部は、前記携帯端末から前記閲覧用アドレスにアクセスされたことに応じて、前記ページを前記携帯端末に送信し、前記ページに含まれるリンクに対応するアドレスにアクセスされたことに応じて、当該アドレスに対応するコンテンツを前記携帯端末に送信する、
請求項１に記載のコンテンツ作成装置。
【請求項３】
前記関連情報生成部は、前記関連情報として、前記選択指示情報に対応するコンテンツのアドレスと前記閲覧用アドレスとを関連付けた情報を生成し、
前記コンテンツ送信部は、前記携帯端末から前記閲覧用アドレスにアクセスされたことに応じて、前記関連情報に基づいて、当該閲覧用アドレスに関連付けられたコンテンツのアドレスにリダイレクトする、
請求項１に記載のコンテンツ作成装置。
【請求項４】
前記関連情報生成部は、前記関連情報として、前記選択指示情報に対応するコンテンツを取得する処理を実行するスクリプトを含むページを生成し、
前記コンテンツ送信部は、前記携帯端末から前記閲覧用アドレスにアクセスされたことに応じて、前記ページを前記携帯端末に送信し、前記ページに含まれるスクリプトから前記コンテンツを要求されたことに応じて、前記選択指示情報に対応するコンテンツを前記携帯端末に送信する、
請求項１に記載のコンテンツ作成装置。
【請求項５】
コンテンツ作成サーバと、前記コンテンツ作成サーバに通信可能な開発用端末と、前記コンテンツ作成サーバに通信可能な携帯端末とを備えるコンテンツ作成システムであって、
前記コンテンツ作成サーバは、
前記携帯端末にコンテンツを閲覧するための閲覧用アドレスを送信するアドレス送信部と、
複数の前記コンテンツを記憶する記憶部と、
前記開発用端末から、前記複数のコンテンツのいずれかを選択するための選択指示情報を受信する受信部と、
前記受信部が前記選択指示情報を受信すると、前記記憶部に記憶されている前記複数のコンテンツのうち、前記選択指示情報に対応するコンテンツと前記閲覧用アドレスとを関連付けた関連情報を生成する関連情報生成部と、
前記携帯端末から前記閲覧用アドレスにアクセスされたことに応じて、前記関連情報に基づいて、当該閲覧用アドレスに関連付けられた前記コンテンツを前記携帯端末に送信するコンテンツ送信部と、を有し、
前記開発用端末は、前記コンテンツ作成サーバに前記選択指示情報を送信する送信部を有し、
前記携帯端末は、前記閲覧用アドレスにアクセスするとともに、前記コンテンツを受信する送受信部を有する、
コンテンツ作成システム。
【発明の詳細な説明】
【技術分野】
【０００１】
本発明は、コンテンツを作成するコンテンツ作成装置及びコンテンツ作成システムに関する。
【背景技術】
【０００２】
従来、携帯用のコンテンツの開発は、ディスプレイが大きいデスクトップ端末等で行われている。そして、デスクトップ端末等でコンテンツの開発を行う場合には、携帯端末においてコンテンツが正しく表示されているか否か等を検証する作業が行われている。例えば、２次元バーコードに埋め込んだＵＲＬ等のアドレスを携帯電話が読み取る技術（例えば、特許文献１を参照）を用いて、携帯端末が、開発中のコンテンツにアクセスする方法が知られている。
【先行技術文献】
【特許文献】
【０００３】
【特許文献１】特開２００９−０１５５０８号公報
【発明の概要】
【発明が解決しようとする課題】
【０００４】
しかし、２次元バーコードを読み取ってコンテンツにアクセスする方法では、開発中のコンテンツが修正されるごとにデスクトップ端末が２次元バーコードを生成し、携帯端末が、当該２次元バーコードを読み取って当該コンテンツにアクセスする必要があった。このため、２次元バーコードを用いてコンテンツにアクセスする方法は、コンテンツを確認するまでの手順が煩雑であった。
【０００５】
また、開発されたコンテンツと、コンテンツの開発に用いる構成パーツ（以下、「ウィジェット」という）とは、コンテンツの開発に用いるデスクトップ端末とインターネットを介して接続されたサーバに格納されている。そして、デスクトップ端末は、インターネット経由でサーバから受信したアドレス情報に基づいて、２次元バーコードを生成しなければならなかった。
【０００６】
したがって、コンテンツを開発しているユーザが、開発中のコンテンツや開発に用いるウィジェットが携帯端末でどのように表示されるかを確認したい場合に、確認したいコンテンツやウィジェットに対応する２次元バーコードが表示されるまでに、デスクトップ端末とサーバとの間での通信時間に相当する遅延が生じていた。その結果、ユーザは、開発中のコンテンツやウィジェットを、リアルタイムで携帯端末において確認することが困難であった。
【０００７】
本発明は、携帯端末以外の端末で開発中のコンテンツを携帯端末で迅速に確認することができるコンテンツ作成装置及びコンテンツ作成システムを提供することを目的とする。
【課題を解決するための手段】
【０００８】
本発明に係るコンテンツ作成装置は、開発用端末及び携帯端末に通信可能に接続され、コンテンツを作成するコンテンツ作成装置であって、前記携帯端末に前記コンテンツを閲覧するための閲覧用アドレスを送信するアドレス送信部と、複数の前記コンテンツを記憶する記憶部と、前記開発用端末から、前記複数のコンテンツのいずれかを選択するための選択指示情報を受信する受信部と、前記受信部が前記選択指示情報を受信すると、前記記憶部に記憶されている前記複数のコンテンツのうち、前記選択指示情報に対応するコンテンツと前記閲覧用アドレスとを関連付けた関連情報を生成する関連情報生成部と、前記携帯端末から前記閲覧用アドレスにアクセスされたことに応じて、前記関連情報に基づいて、当該閲覧用アドレスに関連付けられた前記コンテンツを前記携帯端末に送信するコンテンツ送信部と、を備える。
【０００９】
また、本発明に係るコンテンツ作成装置では、前記関連情報生成部は、前記関連情報として、前記選択指示情報に対応するコンテンツのアドレスへのリンクを含むページを生成し、前記コンテンツ送信部は、前記携帯端末から前記閲覧用アドレスにアクセスされたことに応じて、前記ページを前記携帯端末に送信し、前記ページに含まれるリンクに対応するアドレスにアクセスされたことに応じて、当該アドレスに対応するコンテンツを前記携帯端末に送信してもよい。
【００１０】
また、本発明に係るコンテンツ作成装置では、前記関連情報生成部は、前記関連情報として、前記選択指示情報に対応するコンテンツのアドレスと前記閲覧用アドレスとを関連付けた情報を生成し、前記コンテンツ送信部は、前記携帯端末から前記閲覧用アドレスにアクセスされたことに応じて、前記関連情報に基づいて、当該閲覧用アドレスに関連付けられたコンテンツのアドレスにリダイレクトしてもよい。
【００１１】
また、本発明に係るコンテンツ作成装置では、前記関連情報生成部は、前記関連情報として、前記選択指示情報に対応するコンテンツを取得する処理を実行するスクリプトを含むページを生成し、前記コンテンツ送信部は、前記携帯端末から前記閲覧用アドレスにアクセスされたことに応じて、前記ページを前記携帯端末に送信し、前記ページに含まれるスクリプトから前記コンテンツを要求されたことに応じて、前記選択指示情報に対応するコンテンツを前記携帯端末に送信してもよい。
【００１２】
本発明に係るコンテンツ作成システムは、コンテンツ作成サーバと、前記コンテンツ作成サーバに通信可能な開発用端末と、前記コンテンツ作成サーバに通信可能な携帯端末とを備えるコンテンツ作成システムであって、前記コンテンツ作成サーバは、前記携帯端末にコンテンツを閲覧するための閲覧用アドレスを送信するアドレス送信部と、複数の前記コンテンツを記憶する記憶部と、前記開発用端末から、前記複数のコンテンツのいずれかを選択するための選択指示情報を受信する受信部と、前記受信部が前記選択指示情報を受信すると、前記記憶部に記憶されている前記複数のコンテンツのうち、前記選択指示情報に対応するコンテンツと前記閲覧用アドレスとを関連付けた関連情報を生成する関連情報生成部と、前記携帯端末から前記閲覧用アドレスにアクセスされたことに応じて、前記関連情報に基づいて、当該閲覧用アドレスに関連付けられた前記コンテンツを前記携帯端末に送信するコンテンツ送信部と、を有し、前記開発用端末は、前記コンテンツ作成サーバに前記選択指示情報を送信する送信部を有し、前記携帯端末は、前記閲覧用アドレスにアクセスするとともに、前記コンテンツを受信する送受信部を有する。
【発明の効果】
【００１３】
本発明によれば、携帯端末以外の端末で開発中のコンテンツを携帯端末で迅速に確認することができる。
【図面の簡単な説明】
【００１４】
【図１】第１の実施形態に係るコンテンツ作成システムの概要図である。
【図２】第１の実施形態に係るコンテンツ作成システムの機能構成図である。
【図３】第１の実施形態に係るコンテンツ作成システムにおいて、コンテンツが携帯端末に送信されるまでのシーケンス図である。
【図４Ａ】第２の実施形態における複数のコンテンツと、それぞれのコンテンツが格納されているアドレスとの関係を示す図である。
【図４Ｂ】第２の実施形態における関連情報を示す図である。
【発明を実施するための形態】
【００１５】
以下、本発明の実施形態について説明する。
＜第１の実施形態＞
［コンテンツ作成システムＳの概要］
図１は、第１の実施形態に係るコンテンツ作成システムＳの概要図である。
コンテンツ作成システムＳは、コンテンツ作成サーバ１と、開発用端末２と、携帯端末３とを備える。
【００１６】
コンテンツ作成システムＳでは、コンテンツ作成サーバ１は、インターネットやＬＡＮ等の通信ネットワークＮを介して開発用端末２及び携帯端末３と通信可能に接続されている。
【００１７】
コンテンツ作成サーバ１は、開発用端末２にコンテンツ開発用ページを送信するとともに、携帯端末３に開発中のコンテンツを閲覧するための閲覧用アドレスを送信する（図１の（１）及び（２））。そして、開発用端末２からコンテンツを選択するための選択指示情報を受信すると、コンテンツ作成サーバ１は、閲覧用アドレスとコンテンツとを関連付ける関連情報を生成する（図１の（３）及び（４））。そして、コンテンツ作成サーバ１は、携帯端末３から閲覧用アドレスにアクセスされることによりコンテンツが要求されると、携帯端末３に、関連情報に基づいてコンテンツを送信し、開発中のコンテンツを携帯端末３において閲覧可能とする（図１の（５）及び（６））。ここで、開発中のコンテンツには、当該コンテンツの部品となるウィジェットも含まれる。ウィジェットは、コンテンツの開発に用いる構成パーツであり、例えば、コンテンツのインタフェースを構成するプログラムである。
【００１８】
続いて、コンテンツ作成システムＳを構成するコンテンツ作成サーバ１、開発用端末２及び携帯端末３について、図２に示す機能構成図を参照しながら、詳細な説明を行う。
【００１９】
［コンテンツ作成サーバ１の構成例］
図２は、第１の実施形態に係るコンテンツ作成システムＳの機能構成図である。
最初に、コンテンツ作成サーバ１について説明を行う。コンテンツ作成サーバ１は、サーバ側記憶部１１と、サーバ側制御部１２とを備える。
【００２０】
サーバ側記憶部１１は、例えば、ＲＯＭ、ＲＡＭ及びハードディスク等により構成される。サーバ側記憶部１１は、コンテンツ作成サーバ１を機能させるための各種プログラムを記憶する。サーバ側記憶部１１は、開発中のコンテンツを複数記憶する。ここで、開発中のコンテンツは、一のウェブページ（例えば、ＨＴＭＬファイル）や、一以上のウィジェットから構成されるウェブページを示すものとする。サーバ側記憶部１１は、携帯端末３が開発中のコンテンツを閲覧するための閲覧用アドレスを記憶する。
【００２１】
サーバ側制御部１２は、例えば、ＣＰＵにより構成される。サーバ側制御部１２は、サーバ側記憶部１１に記憶されている各種プログラムを実行することにより、コンテンツ作成サーバ１に係る機能を統括的に制御する。サーバ側制御部１２は、アドレス送信部１２１と、記憶制御部１２２と、受信部１２３と、関連情報生成部１２４と、コンテンツ送信部１２５とを備える。
【００２２】
アドレス送信部１２１は、携帯端末３に開発中のコンテンツを閲覧するための閲覧用アドレスを送信する。具体的には、アドレス送信部１２１は、開発用端末２からコンテンツ開発の開始指示を示す開始指示情報を受信すると、開発用端末２にコンテンツ開発用ページを送信するとともに、開発用端末２において開発中のコンテンツを閲覧するための閲覧用アドレスを携帯端末３に送信する。
【００２３】
ここで、コンテンツ開発用ページは、例えば、コンテンツマネジメントシステム（ＣＭＳ：Ｃｏｎｔｅｎｔ  Ｍａｎａｇｅｍｅｎｔ  Ｓｙｓｔｅｍ）においてコンテンツを開発するためのページである。開発用端末２のユーザは、コンテンツ開発用ページ上で、開発中のコンテンツに対するウィジェットの追加等を行い、コンテンツを開発する。
【００２４】
記憶制御部１２２は、開発用端末２から、コンテンツ開発用ページにおいて作成されたコンテンツの保存要求を示す保存指示情報を受信すると、当該コンテンツをサーバ側記憶部１１に記憶させる。
【００２５】
受信部１２３は、開発用端末２から、複数のコンテンツのいずれかを選択するための選択指示情報を受信する。この選択指示情報には、開発用端末２において選択されたコンテンツを示す情報が含まれている。なお、受信部１２３は、開発用端末２から、複数のコンテンツを同時に選択する選択指示情報を受信してもよい。
【００２６】
関連情報生成部１２４は、受信部１２３が選択指示情報を受信すると、サーバ側記憶部１１に記憶されている複数のコンテンツのうち、選択指示情報に対応するコンテンツと閲覧用アドレスとを関連付けた関連情報を生成する。関連情報生成部１２４は、生成した関連情報をサーバ側記憶部１１に記憶させる。
【００２７】
具体的には、関連情報生成部１２４は、関連情報として、選択指示情報に対応するコンテンツが含まれ、かつ、閲覧用アドレスに対応するウェブページを生成する。具体的には、まず、関連情報生成部１２４は、受信部１２３が選択指示情報を受信したことに応じて閲覧用アドレスに対応するｈｔｍｌファイルを生成することでウェブページを生成する。続いて、関連情報生成部１２４は、受信部１２３が受信した選択指示情報に対応するコンテンツの数が１つである場合、閲覧用アドレスに対応するウェブページに当該コンテンツのソースコードを挿入する。また、関連情報生成部１２４は、選択指示情報に対応するコンテンツの数が複数である場合、当該ウェブページに、これら複数のコンテンツのソースコードを挿入する。なお、選択指示情報に、複数のコンテンツを示す情報が含まれている場合、関連情報生成部１２４は、閲覧用アドレスに対応するウェブページに複数のコンテンツのリンク情報を挿入してもよい。
【００２８】
ここで、関連情報生成部１２４は、選択指示情報に対応するコンテンツ以外のコンテンツを含む、閲覧用アドレスに対応するウェブページが既に生成されている場合、当該ウェブページを示すファイルを消去してから、選択指示情報に対応するコンテンツが含まれるウェブページを生成する。なお、関連情報生成部１２４は、ウェブページを消去してからウェブページを生成せずに、ウェブページに含まれているコンテンツを消去してウェブページを初期化した後に、選択指示情報に対応するコンテンツが含まれるウェブページを生成してもよい。
【００２９】
コンテンツ送信部１２５は、携帯端末３から閲覧用アドレスにアクセスされたことに応じて、サーバ側記憶部１１に記憶されている関連情報に基づいて、当該閲覧用アドレスに関連付けられたコンテンツを携帯端末３に送信する。すなわち、コンテンツ送信部１２５は、携帯端末３から閲覧用アドレスにアクセスされたことに応じて、当該閲覧用アドレスに対応し、選択指示情報に対応するコンテンツが含まれているウェブページを携帯端末３に送信する。携帯端末３には、開発用端末２において選択されたコンテンツが表示される。
【００３０】
［開発用端末２の構成例］
続いて、開発用端末２について説明を行う。開発用端末２は、コンテンツを制作する操作を受け付ける端末であり、例えばデスクトップＰＣである。開発用端末２は、表示部２１と、入力部２２と、端末側記憶部２３と、端末側制御部２４とを備える。
【００３１】
表示部２１は、例えば、液晶ディスプレイや有機ＥＬ（Ｅｌｅｃｔｒｏ−Ｌｕｍｉｎｅｓｃｅｎｃｅ）ディスプレイ等により構成されている。開発用端末２の表示部２１は、携帯端末３の表示部３１に比べて表示面積が大きい。表示部２１は、端末側制御部２４の制御に応じて、例えばコンテンツ開発用ページを表示する。
入力部２２は、例えば、キーボードやマウス等によって構成される。入力部２２は、開発用端末２のユーザから操作入力を受け付ける。
【００３２】
端末側記憶部２３は、ＲＯＭ、ＲＡＭ、ハードディスク、及び開発用端末２に接続された外部記憶装置等により構成される。ここで、外部記憶装置は、開発用端末２に直接接続されていてもよいし、通信ネットワーク（不図示）を介して通信可能に接続されていてもよい。
【００３３】
端末側制御部２４は、サーバ側制御部１２と同様に、ＣＰＵにより構成される。端末側制御部２４は、端末側記憶部２３に記憶されている、開発用端末２を機能させるための各種プログラムを実行することにより、開発用端末２に係る機能を統括的に制御する。端末側制御部２４は、入力部２２の操作により、コンテンツ開発用ページ上で、コンテンツの作成処理を行う。
【００３４】
端末側制御部２４は、送信部として機能し、コンテンツ作成サーバ１に選択指示情報を送信する。具体的には、端末側制御部２４は、コンテンツを保存する操作が行われた場合、及び、コンテンツ作成用ページを介してコンテンツ作成サーバ１から受信したコンテンツ（ウィジェット）を選択する操作が行われた場合に、これら選択されたコンテンツを示す情報を含む選択指示情報をコンテンツ作成サーバ１に送信する。
【００３５】
［携帯端末３の構成例］
続いて、携帯端末３について説明を行う。携帯端末３は、制作中のコンテンツ及び完成したコンテンツをユーザが閲覧するための端末であり、例えば、スマートフォン等の携帯電話機や携帯ゲーム機である。携帯端末３は、表示部３１と、入力部３２と、端末側記憶部３３と、端末側制御部３４とを備える。
【００３６】
表示部３１は、例えば、液晶ディスプレイや有機ＥＬディスプレイ等により構成される。表示部３１は、端末側制御部３４の制御に応じて、例えばコンテンツ作成サーバ１から受信したコンテンツを表示する。
入力部３２は、例えば、表示部３１に重畳して配置される接触センサやボタン等により構成される。入力部３２は、携帯端末３のユーザから操作入力を受け付ける。なお、入力部３２は、キーボード又はマウス等を含んで構成されてもよい。
【００３７】
端末側記憶部３３は、ＲＯＭ、ＲＡＭ、ハードディスク、及び携帯端末３に接続された外部記憶装置等により構成される。ここで、外部記憶装置は、携帯端末３に直接接続されていてもよいし、通信ネットワーク（不図示）を介して通信可能に接続されていてもよい。
【００３８】
端末側制御部３４は、サーバ側制御部１２と同様に、ＣＰＵにより構成される。端末側制御部３４は、端末側記憶部３３に記憶されている、携帯端末３を機能させるための各種プログラムを実行することにより、携帯端末３に係る機能を統括的に制御する。端末側制御部３４は、送受信部として機能し、入力部３２において所定の操作が行われたことに応じて閲覧用アドレスにアクセスするとともに、コンテンツ作成サーバ１からコンテンツを受信する。
【００３９】
続いて、携帯端末３がコンテンツ又はウィジェットを閲覧するまでの通信シーケンスについて説明する。図３は、第１の実施形態に係るコンテンツ作成システムＳにおいて、コンテンツが携帯端末３に送信されるまでのシーケンス図である。
【００４０】
まず、開発用端末２の入力部２２がコンテンツを作成する操作を受け付けると、開発用端末２の端末側制御部２４は、コンテンツ作成サーバ１にコンテンツ開発の開始指示情報を送信する。コンテンツ作成サーバ１のアドレス送信部１２１は、開発用端末２から開始指示情報を受信すると、開発用端末２にコンテンツ開発用ページを送信するとともに、携帯端末３にコンテンツを閲覧するための閲覧用アドレスを送信する。
【００４１】
続いて、開発用端末２のユーザは、コンテンツ開発用ページを介してコンテンツの開発を行う。開発用端末２の入力部２２がコンテンツ（ウィジェット）の選択操作を受け付けると、開発用端末２の端末側制御部２４は、コンテンツ作成サーバ１に選択指示情報を送信する。なお、シーケンス図中に示されるコンテンツの開発と、コンテンツ又はウィジェットの選択は、並行して行われる。
【００４２】
続いて、コンテンツ作成サーバ１の受信部１２３が選択指示情報を受信すると、関連情報生成部１２４は、選択指示情報に対応するコンテンツと閲覧用アドレスとを関連付けた関連情報を生成する。関連情報生成部１２４は、閲覧用アドレスに対応するウェブページに選択指示情報に対応するコンテンツのソースコードを挿入する。
【００４３】
続いて、例えば携帯端末３のユーザによる操作に応じて携帯端末３が閲覧用アドレスにアクセスすると、コンテンツ作成サーバ１は、閲覧用アドレスに対応するウェブページ、すなわち、選択指示情報に対応するコンテンツを含むウェブページを送信する。  
【００４４】
［第１の実施形態における効果］
以上、第１の実施形態によれば、コンテンツ作成サーバ１は、アドレス送信部１２１により、コンテンツを閲覧するための閲覧用アドレスを携帯端末３に送信し、受信部１２３により、開発用端末２から複数のコンテンツのいずれかを選択する選択指示情報を受信する。そして、コンテンツ作成サーバ１は、関連情報生成部１２４により、受信部１２３が選択指示情報を受信したことに応じて、サーバ側記憶部１１に記憶されている複数のコンテンツのうち、選択指示情報に対応するコンテンツと閲覧用アドレスとを関連付けた関連情報を生成し、コンテンツ送信部１２５により、携帯端末３から閲覧用アドレスを受信したことに応じて、関連情報に基づいて、当該閲覧用アドレスに関連付けられたコンテンツを携帯端末３に送信する。
【００４５】
このようにすることで、携帯端末３が、当該閲覧用アドレスをコンテンツ作成サーバ１に送信するだけで、開発用端末２において選択されたコンテンツ又はウィジェットを、コンテンツ作成サーバ１から受信することができる。よって、携帯端末３以外の端末である開発用端末２で開発中のコンテンツを迅速に携帯端末３で確認することができる。
【００４６】
また、コンテンツ送信部１２５は、携帯端末３から閲覧用アドレスを受信したことに応じて、サーバ側記憶部１１に記憶されている複数のコンテンツのアドレスへのリンクを含むページを携帯端末３に送信し、携帯端末３から一のコンテンツのアドレスを受信したことに応じて、当該コンテンツを携帯端末３に送信する。このようにすることで、携帯端末３側では、例えば、バージョンが異なる複数のコンテンツや、同種類のウィジェットであって表示態様が異なるウィジェットの比較検討を容易に行うことができる。
【００４７】
＜第２の実施形態＞
［コンテンツのアドレスにリダイレクトする］
続いて、第２の実施形態について説明する。
第２の実施形態は、コンテンツ閲覧用アドレスにアクセスされると、選択指示情報に対応するコンテンツのアドレスにリダイレクトする点で、第１の実施形態と異なり、その他の点では同じである。
【００４８】
図４Ａは、第２の実施形態における複数のコンテンツと、それぞれのコンテンツが格納されているアドレスとの関係を示す図である。図４Ｂは、第２の実施形態における関連情報を示す図である。
第２の実施形態において、関連情報生成部１２４は、関連情報として、選択指示情報に対応するコンテンツ（ウィジェット）のアドレスと閲覧用アドレスとを関連付けた情報を生成する。例えば、図４Ａに示すように、ウィジェットＡ及びウィジェットＢは、それぞれ「ｃｏｎｔｅｎｔ１．ｈｔｍｌ」及び「ｃｏｎｔｅｎｔ２．ｈｔｍｌ」に対応するアドレスに格納されており、開発ページＡ及び開発ページＢは、開発用端末２のユーザによる保存操作に応じて、それぞれ「ｃｏｎｔｅｎｔ３．ｈｔｍｌ」及び「ｃｏｎｔｅｎｔ４．ｈｔｍｌ」に格納されているものとする。この場合において、関連情報生成部１２４は、受信部１２３が、ウィジェットＡが選択されたことを示す選択指示情報を受信すると、図４Ｂに示すように、閲覧用アドレス「ｔｅｓｔ．ｈｔｍｌ」と、選択指示情報に対応するウィジェットＡが格納されているアドレス「ｃｏｎｔｅｎｔ１．ｈｔｍｌ」とを関連付けた関連情報を生成する。
【００４９】
コンテンツ送信部１２５は、携帯端末３から閲覧用アドレスにアクセスされたことに応じて、図４Ｂに示したような関連情報に基づいて、閲覧用アドレスに関連付けられたコンテンツのアドレスにリダイレクトする。すなわち、コンテンツ送信部１２５は、携帯端末３から閲覧用アドレスを受信したことに応じて、関連情報を参照し、閲覧用アドレスに関連付けられたコンテンツのアドレスにリダイレクトし、リダイレクト先のアドレスに格納されているコンテンツを携帯端末３に送信させる。なお、リダイレクト先のアドレスが、コンテンツ作成サーバ１と異なるリダイレクト先サーバに割り当てられたアドレスである場合、リダイレクト先サーバが、当該コンテンツを携帯端末３に送信してもよい。
【００５０】
［第２の実施形態における効果］
以上、第１の実施形態によれば、コンテンツ送信部１２５は、携帯端末３から閲覧用アドレスを受信したことに応じて、関連情報に基づいて、当該閲覧用アドレスに関連付けられたコンテンツのアドレスにリダイレクトする。このようにすることで、携帯端末３は、一の閲覧用アドレスにアクセスすることによって、コンテンツのアドレスにアクセスすることができるため、当該コンテンツのアドレスを入力する必要がなく、当該コンテンツに容易にアクセスすることができる。
【００５１】
＜第３の実施形態＞
［コンテンツにアクセスするスクリプトを含むページを携帯端末３に送信する］
続いて、第３の実施形態について説明する。
第３の実施形態は、コンテンツにアクセスするスクリプトを携帯端末３に送信する点で、第１の実施形態と異なり、その他の点では同じである。ここで、スクリプトとは、例えば、ＪａｖａＳｃｒｉｐｔ（登録商標）である。
【００５２】
第３の実施形態において、関連情報生成部１２４は、第２の実施形態と同様に、選択指示情報に対応するコンテンツ（ウィジェット）のアドレスと閲覧用アドレスとを関連付けた情報を生成する。また、関連情報生成部１２４は、関連情報として、選択指示情報に対応するコンテンツに定期的にアクセスして、当該コンテンツを取得する処理を定期的に実行するスクリプトを含むページを生成する。以下、選択指示情報に対応するコンテンツを取得するスクリプトを含むページを検証用ページという。
【００５３】
コンテンツ送信部１２５は、携帯端末３から閲覧用アドレスにアクセスされたことに応じて、検証用ページを携帯端末３に送信する。
携帯端末３では、検証用ページを受信すると、スクリプトが実行される。これにより、携帯端末３から、コンテンツ作成サーバ１に対してコンテンツの取得要求が行われる。すなわち、スクリプトが定期的に実行されることで、携帯端末３は、選択指示情報に対応するコンテンツが格納されているアドレスを含むコンテンツ要求メッセージを、定期的にコンテンツ作成サーバ１に送信する。コンテンツ作成サーバ１は、コンテンツを要求されたことに応じて、選択指示情報に対応するコンテンツを携帯端末３に送信する。
【００５４】
［第３の実施形態における効果］
以上、第３の実施形態によれば、コンテンツ作成サーバ１は、関連情報生成部１２４により、関連情報として選択指示情報に対応するコンテンツを取得する処理を実行するスクリプトを含むページを生成し、コンテンツ送信部１２５により、携帯端末３から閲覧用アドレスにアクセスされたことに応じて、当該ページを携帯端末３に送信し、当該ページに含まれるスクリプトからコンテンツを要求されたことに応じて、選択指示情報に対応するコンテンツを携帯端末３に送信する。このようにすることで、コンテンツ作成サーバ１は、例えば、定期的にコンテンツを取得するスクリプトを含むページを受信することで、最新のコンテンツを取得することができる。
【００５５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００５６】
例えば、第１の実施形態では、コンテンツを取得するためのスクリプトを取得用ウィジェットとしてサーバ側記憶部１１に記憶しておき、コンテンツの作成時に当該取得用ウィジェットを作成中のコンテンツに挿入してもよい。携帯端末３が閲覧用アドレスにアクセスすると、携帯端末３は、取得用ウィジェットを含むコンテンツを取得する。携帯端末３は、取得した取得用ウィジェットにおいてスクリプトが自動的に実行されることにより、携帯端末３のユーザが操作をすることなく、取得用ウィジェットが含まれているコンテンツを定期的に取得できる。このようにすることで、携帯端末３では、閲覧用アドレスに一度アクセスするだけで、作成中の最新のコンテンツを取得して表示させることができる。
【００５７】
また、上記の実施形態では、アドレス送信部１２１が携帯端末３に閲覧用アドレスを送信し、携帯端末３は、当該閲覧用アドレスにアクセスすることで選択指示情報に対応するコンテンツを取得したが、これに限らない。例えば、端末側制御部２４は、コンテンツを取得するためのスクリプトをブックマーク登録して実行するブックマークレットによって、選択指示情報に対応するコンテンツを取得してもよい。すなわち、ブックマークレットに登録されているスクリプトを実行することにより選択指示情報に対応するコンテンツを取得してもよい。
【符号の説明】
【００５８】
１・・・コンテンツ作成サーバ、２・・・開発用端末、３・・・携帯端末、１１・・・記憶部、１２・・・サーバ側制御部、１２１・・・アドレス送信部、１２２・・・記憶制御部、１２３・・・受信部、１２４・・・関連情報生成部、１２５・・・コンテンツ送信部、２１、３１・・・表示部、２２、３２・・・入力部、２３、３３・・・端末側記憶部、２４、３４・・・端末側制御部、Ｓ・・・コンテンツ作成システム
【図１】
2014164453.tif 000003
【図２】
2014164453.tif 000004
【図３】
2014164453.tif 000005
【図４Ａ】
2014164453.tif 000006
【図４Ｂ】
2014164453.tif 000007
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
開発用端末及び携帯端末に通信可能に接続され、コンテンツを作成するコンテンツ作成装置であって、
前記携帯端末に前記コンテンツを閲覧するための一の閲覧用アドレスを予め送信するアドレス送信部と、
複数の前記コンテンツを記憶する記憶部と、
前記開発用端末から、前記複数のコンテンツのいずれかを選択するための選択指示情報を受信する受信部と、
前記受信部が前記選択指示情報を受信すると、前記記憶部に記憶されている前記複数のコンテンツのうち、前記選択指示情報に対応するコンテンツと前記一の閲覧用アドレスとを関連付けた関連情報を生成する関連情報生成部と、
前記携帯端末から前記一の閲覧用アドレスにアクセスされたことに応じて、前記関連情報に基づいて、当該一の閲覧用アドレスに関連付けられた前記コンテンツを前記携帯端末に送信するコンテンツ送信部と、
を備えるコンテンツ作成装置。
【請求項２】
前記開発用端末に、コンテンツ開発用ページを送信する開発用ページ送信部をさらに備え、
前記受信部は、前記開発用端末から、前記コンテンツ開発用ページで開発された前記複数のコンテンツのいずれかを選択するための選択指示情報を受信する、
請求項１に記載のコンテンツ作成装置。
【請求項３】
前記関連情報生成部は、前記関連情報として、前記選択指示情報に対応するコンテンツのアドレスへのリンクを含むページを生成し、
前記コンテンツ送信部は、前記携帯端末から前記一の閲覧用アドレスにアクセスされたことに応じて、前記ページを前記携帯端末に送信し、前記ページに含まれるリンクに対応するアドレスにアクセスされたことに応じて、当該アドレスに対応するコンテンツを前記携帯端末に送信する、
請求項１又は２に記載のコンテンツ作成装置。
【請求項４】
前記関連情報生成部は、前記関連情報として、前記選択指示情報に対応するコンテンツを取得する処理を実行するスクリプトを含むページを生成し、
前記コンテンツ送信部は、前記携帯端末から前記一の閲覧用アドレスにアクセスされたことに応じて、前記ページを前記携帯端末に送信し、前記ページに含まれるスクリプトから前記コンテンツを要求されたことに応じて、前記選択指示情報に対応するコンテンツを前記携帯端末に送信する、
請求項１又は２に記載のコンテンツ作成装置。
【請求項５】
コンテンツ作成サーバと、前記コンテンツ作成サーバに通信可能な開発用端末と、前記コンテンツ作成サーバに通信可能な携帯端末とを備えるコンテンツ作成システムであって、
前記コンテンツ作成サーバは、
前記携帯端末にコンテンツを閲覧するための一の閲覧用アドレスを予め送信するアドレス送信部と、
複数の前記コンテンツを記憶する記憶部と、
前記開発用端末から、前記複数のコンテンツのいずれかを選択するための選択指示情報を受信する受信部と、
前記受信部が前記選択指示情報を受信すると、前記記憶部に記憶されている前記複数のコンテンツのうち、前記選択指示情報に対応するコンテンツと前記一の閲覧用アドレスとを関連付けた関連情報を生成する関連情報生成部と、
前記携帯端末から前記一の閲覧用アドレスにアクセスされたことに応じて、前記関連情報に基づいて、当該一の閲覧用アドレスに関連付けられた前記コンテンツを前記携帯端末に送信するコンテンツ送信部と、を有し、
前記開発用端末は、前記コンテンツ作成サーバに前記選択指示情報を送信する送信部を有し、
前記携帯端末は、前記一の閲覧用アドレスにアクセスするとともに、前記コンテンツを受信する送受信部を有する、
コンテンツ作成システム。